(57)【要約】【課題】  遊技者が遊技中に開閉部材の開閉動作を容易に視認できるようにして、開閉部材が開動作した場合に遊技者の期待感を高めることができるパチンコ遊技機を提供すること。【解決手段】  開閉部材２２の開閉動作に連動して可動役物１３が回転するように連動させ、且つ可動役物１３が透光性部材で構成されると共に可動役物１３よりも後側にＬＥＤ７５ａを設け、大当り遊技状態の場合に開閉部材２２が開閉動作するモードのとき、ＬＥＤ７５ａから可動役物１３の後面に照射された光により、可動役物１３の前面に開閉部材２２の先端部分に連続するように、開閉部材２２の残部を影絵的に表示する残部表示用マスキング部材６７を、可動役物１３に形成した。【選択図】  図９
2011000307.tif 000002
【特許請求の範囲】
【請求項１】
遊技盤と、入賞口を有する入賞口装置を備えたパチンコ遊技機において、
遊技機の盤面の前側に配設された円板状の可動役物と、この可動役物を回転駆動する為の回転駆動手段とを含む可動役物機構を設け、
前記入賞口装置は、前記可動役物の後側近傍位置に先端部分が可動役物の外周側へはみ出した状態に配設され且つ回動により入賞口を開閉する開閉部材と、この開閉部材を開閉駆動する開閉駆動手段とを備え、
前記開閉部材の開閉動作に連動して可動役物が回転するように、前記開閉駆動手段と前記回転駆動手段を連動させる連動手段を設けたことを特徴とするパチンコ遊技機。
【請求項２】
前記可動役物は透光性部材で構成されると共に、前記可動役物よりも後側に発光手段を設け、前記開閉部材が開閉動作するとき、前記発光手段から可動役物の背面に照射された光により前記可動役物の前面に前記開閉部材の前記先端部分に連続するように開閉部材残部を影絵的に表示する残部表示用マスキングを、前記可動役物に形成したことを特徴とする請求項１に記載のパチンコ遊技機。
【請求項３】
前記残部表示用マスキングは、前記可動役物の背面のうち前記開閉部材残部に対応する部分を光学的にマスクする塗膜又は被膜で構成されたことを特徴とする請求項２に記載のパチンコ遊技機。
【請求項４】
前記残部表示用マスキングは、前記可動役物の背面のうち前記開閉部材残部以外の部分を光学的にマスクする塗膜又は被膜で構成されたことを特徴とする請求項２に記載のパチンコ遊技機。
【請求項５】
前記回転駆動手段と前記開閉駆動手段とは、共通のアクチュエータで駆動されることを特徴とする請求項１〜４の何れかに記載のパチンコ遊技機。
【発明の詳細な説明】
【技術分野】
【０００１】
本発明は、入賞口を有する入賞口装置を備えたパチンコ遊技機に関し、特に入賞口装置の入賞口を開閉する開閉部材の視認性を高めたものに関する。
【背景技術】
【０００２】
従来から、パチンコ遊技機においては、遊技盤の盤面に入賞口を有する入賞口装置や可動の可動役物などが配設されている。例えば、特許文献１に記載のパチンコ機には、遊技盤の盤面の左部に特定入賞口を有する入賞装置が設けられている。この入賞装置は、特定入賞口の一部をなす球保持部を有する円形の回転役物と、この回転役物を収容可能な環状のガイド枠と、ガイド枠と一体成形され遊技盤に取付けられた取付板と、回転役物を回転駆動する駆動モータとを備えている。
【先行技術文献】
【特許文献】
【０００３】
【特許文献１】特開２００３−６２２１３号公報
【発明の概要】
【発明が解決しようとする課題】
【０００４】
近年のパチンコ遊技機には、遊技演出を高めるために画像表示器を含むセンタ役物が遊技盤の中央部に設けられ、このセンタ役物やセンタ役物の外周近傍部に、従来の大入賞口装置とは別個に大入賞口装置が配設されているものがある。この大入賞口装置は、大入賞口と、大入賞口を回動して開閉する開閉部材と、開閉部材を開閉駆動する開閉駆動手段とを備え、大入賞口装置の前側に、遊技盤の盤面と直交する回転軸に固定された可動の可動役物が設けられているものがある。
【０００５】
大入賞口装置において開閉部材は可動役物よりも後側に設けられ、且つ可動役物の外周側にはみ出した開閉部材の先端部分は小さいので、遊技中に開閉部材が開閉動作したか否かを遊技者が視認することが難しい。また、大入賞口装置は、センタ役物の外周近傍部の左側上部に設けられることが多いので、開閉部材の開閉動作を視認することが一層難しくなる。それ故、開閉部材が開動作した場合にも、遊技球が大入賞口に入って入賞するのではないかという遊技者の期待感を高めることは難しい。
【０００６】
本発明の目的は、遊技者が遊技中に開閉部材の開閉動作を容易に視認できるようにし、開閉部材が開動作した場合に遊技者の期待感を高めることができるパチンコ遊技機を提供することである。
【課題を解決するための手段】
【０００７】
本願発明は以下の構成を有するものである。尚、括弧内の参照符号は、本願発明の構成要素と図面に図示した構成要素との対応関係の一例を示したものであり、本願発明の技術的範囲を何ら限定するものではない。
【０００８】
請求項１のパチンコ遊技機は、遊技盤(1)と、入賞口(14a)を有する入賞口装置(14)を備えたパチンコ遊技機(1)において、遊技機(1)の盤面(4b)の前側に配設された円板状の可動役物(13)と、この可動役物(13)を回転駆動する為の回転駆動手段(23)とを含む可動役物機構(68)を設け、前記入賞口装置(14)は、前記可動役物(13)の後側近傍位置に先端部分が可動役物(13)の外周側へはみ出した状態に配設され且つ回動により入賞口(14a)を開閉する開閉部材(22)と、この開閉部材(22)を開閉駆動する開閉駆動手段(66)とを備え、前記開閉部材(22)の開閉動作に連動して可動役物(13)が回転するように、前記開閉駆動手段(66)と前記回転駆動手段(23)を連動させる連動手段(43)を設けたことを特徴としている。
【０００９】
このパチンコ遊技機(1)では、連動手段(43)が開閉駆動手段(66)と回転駆動手段(23)を連動させるので、開閉部材(22)の開閉動作に連動して可動役物(13)が回転する。可動役物(13)の回転動作を遊技者が視認することで開閉部材(22)の開閉動作を容易に視認することができる。
【００１０】
請求項２のパチンコ遊技機は、請求項１の発明において、前記可動役物(13)は透光性部材で構成されると共に、前記可動役物(13)よりも後側に発光手段(75a)を設け、前記開閉部材(22)が開閉動作するとき、前記発光手段(75a)から可動役物(13)の背面に照射された光により前記可動役物(13)の前面に前記開閉部材(22)の前記先端部分に連続するように開閉部材残部を影絵的に表示する残部表示用マスキング(67)を、前記可動役物(13)に形成したことを特徴としている。
【００１１】
請求項３のパチンコ遊技機は、請求項２の発明において、前記残部表示用マスキング(67)は、前記可動役物(13)の背面のうち前記開閉部材残部に対応する部分を光学的にマスクする塗膜又は被膜で構成されたことを特徴としている。
【００１２】
請求項４のパチンコ遊技機は、請求項２の発明において、前記残部表示用マスキング(67)は、前記可動役物(13)の背面のうち前記開閉部材残部以外の部分を光学的にマスクする塗膜又は被膜で構成されたことを特徴としている。
【００１３】
請求項５のパチンコ遊技機は、請求項１〜４の何れかの発明において、前記回転駆動手段(23)と前記開閉駆動手段(66)とは、共通のアクチュエータ(43)で駆動されることを特徴としている。
【発明の効果】
【００１４】
請求項１の発明によれば、遊技者は遊技中に可動役物の回転動作を視認することで、開閉部材の開閉動作を容易に視認することができる。それ故、開閉部材が開動作した場合、遊技球が大入賞口に入って入賞するのではないかという遊技者の期待感を高めることができるうえ、入賞口装置へ遊技球が入るように遊技球を発射させることもできる。
【００１５】
請求項２の発明によれば、遊技中に開閉部材の開閉動作を容易に視認することができる。また、開閉部材残部を影絵的に表示することで開閉部材全体を大きく見せることができるので、開閉部材が開動作した場合、遊技球が大入賞口に入って入賞するのではないかという遊技者の期待感を格段に高めることができる。
【００１６】
請求項３，４の発明によれば、簡単な構成でもって開閉部材の開閉動作を容易に視認することができる。
【００１７】
請求項５の発明によれば、アクチュエータの数を削減して製作コストの低減を図ることができる。
【図面の簡単な説明】
【００１８】
【図１】本発明の実施例に係るパチンコ遊技機の正面図である。
【図２】可動役物と第２大入賞口装置の拡大斜視図である。
【図３】可動役物と第２大入賞口装置の拡大斜視図である。
【図４】第２大入賞口装置の分解斜視図である。
【図５】可動役物の拡大背面図である。
【図６】役物ケースの拡大正面図である。
【図７】開閉部材の拡大斜視図である。
【図８】装飾板の裏面側拡大斜視図である。
【図９】回転駆動機構の要部拡大斜視図である。
【図１０】捩じりバネ部材が開閉部材を閉位置に付勢している状態を示す斜視図である。
【図１１】開閉部材を開位置にしたときの捩じりバネ部材の状態を示す斜視図である。
【図１２】パチンコ遊技機の制御系のブロック図である。
【図１３】開閉部材が閉位置にあるときの第２大入賞口装置の拡大正面図である。
【図１４】開閉部材が開位置にあるときの第２大入賞口装置の拡大正面図である。
【図１５】実施例２の図５相当図である。
【図１６】実施例２の図１４相当図である。
【図１７】実施例３の図５相当図である。
【図１８】実施例３の図１４相当図である。
【発明を実施するための形態】
【００１９】
以下、本発明を実施するための形態について実施例に基づいて説明する。
尚、以下の実施例では、パチンコ遊技機１の遊技盤４に対面した状態における、盤面４ｂに直交する前後方向を前後方向として説明する。
【実施例１】
【００２０】
図１に示すように、パチンコ遊技機１には、パチンコホールの島構造体に取り付けられる外枠に開閉枠２が開閉自在に設けられ、開閉枠２に開閉扉３が開閉自在に設けられている。開閉枠２には遊技盤４が装着され、その遊技盤４の前面側に遊技領域４ａが形成されている。開閉扉３には窓部３ａが形成され、その窓部３ａに透明ガラス板が装着され、そのガラス板により遊技領域４ａの前側が覆われている。このガラス板を通して外部から遊技領域４ａを見ることができる。
【００２１】
開閉扉３の上部には複数の装飾ランプ３ｂが設けられ、窓部３ａの下側には、所謂チャンスボタンと呼ばれる遊技者が操作可能な演出ボタン５と、発射用の遊技球Ｐや入賞球を貯留する貯留皿６と、遊技者が操作する発射ハンドル７が設けられている。発射ハンドル７が回動操作されると、貯留皿６から発射位置に導入された遊技球Ｐが発射される。ここで、貯留皿６に複数の遊技球Ｐが存在する場合には、例えば、複数の遊技球Ｐが約０．６秒間隔で連続発射される。
【００２２】
遊技盤４の鉛直な盤面４ｂの遊技領域４ａには、多数の障害釘８、風車９、始動入賞口装置１０、ゲート１１、第１大入賞口装置１２、可動役物機構６８、第２大入賞口装置１４、複数の普通入賞口１５、センタ役物１６、画像表示器１７、役物装置１８が設けられている。遊技領域４ａ外に遊技表示盤１９が設けられている。遊技盤４の裏側には制御装置２０（図１２参照）が設けられている。
【００２３】
始動入賞口装置１０は、センタ役物１６のステージ１６ａの下側に配置され、所謂電チューと呼ばれる左右１対の開閉部材を備えた電動式チューリップ型役物を含む構成である。始動入賞口装置１０は、ゲート式の第１始動入賞口１０ａ、開閉式の第２始動入賞口１０ｂ、この第２始動入賞口１０ｂを開閉する開閉部材１０ｃ、第１始動入賞口１０ａに入賞した遊技球Ｐを検出する第１始動口ＳＷ１０ｄ（図１２参照），第２始動入賞口１０ｂに入賞した遊技球Ｐを検出する第２始動入賞口ＳＷ１０ｅ（図１２参照）、開閉部材１０ｃを開閉駆動する電チューソレノイド１０ｆ（図１２参照）を有する。
【００２４】
開閉部材１０ｃは、左右対称の２つの短い羽根部材が盤面４ｂと直交する軸回りに動作するように構成され、閉塞位置で第２始動入賞口１０ｂへの遊技球Ｐの入賞を不可能にし、開放位置で第２始動入賞口１０ｂへの遊技球Ｐの入賞を可能にする。図１の開閉部材１０ｃは閉塞位置にある。ゲート１１はセンタ役物１６の左側に配置され、ゲート１１には通過した遊技球Ｐを検出するゲートＳＷ１１ａ（図１２参照）が付設されている。
【００２５】
第１大入賞口装置１２は、始動入賞口装置１０の下側に配置され、第１大入賞口１２ａと、第１大入賞口１２ａを開閉する開閉部材１２ｂと、第１大入賞口１２ａに入賞した遊技球Ｐを検出する第１大入賞口ＳＷ１２ｃ（図１２参照）と、開閉部材１２ｂを開閉駆動する第１大入賞口ソレノイド１２ｄ（図１２参照）とを有する。
【００２６】
開閉部材１２ｂは、第１大入賞口ソレノイド１２ｄにより盤面４ｂと平行方向の水平な軸回りに動作するように構成され、閉位置で第１大入賞口１２ａへの遊技球Ｐの入賞を不可能にし、開位置で第１大入賞口１２ａへの遊技球Ｐの入賞を可能にする。図１の開閉部材１２ｂは、開位置にある。
【００２７】
図１〜図４に示すように、可動役物機構６８は、円板状の可動役物１３と、後述する回転駆動機構（回転駆動手段）２３とを有する。可動役物１３は、センタ役物１６の左側上部において遊技盤４の盤面４ｂの前側に設けられている。この可動役物１３は透光性部材で構成され、可動役物１３の下半部において前面の外周近傍部に模様（例えば、複数の星）を印した円形の回転役物である。可動役物１３は、盤面４ｂと直交する回転軸２１に固定され、図１に示す停止位置から回転軸２１を中心に時計回り方向と反時計回り方向に回転可能に構成されている。可動役物１３の前面に印した模様により、遊技中に可動役物１３が回転しているか否かを容易に視認することが可能である。
【００２８】
図５に示すように、可動役物１３の裏面の中央部には、回転軸２１に固定する為の軸受部１３ａが設けられ、可動役物１３の裏面の外周近傍部には、短柱状の突起４８が設けられている。可動役物１３の裏面（背面）のうち、第２大入賞口装置１４の開閉部材２２の残部に対応する部分には、残部表示用マスキング部材６７が形成されている。このマスキング部材６７は光学的にマスクする遮光性の塗膜又はフィルムなどの被膜で構成され、可動役物１３のうち、マスキング部材６７が形成された部分は、後述するＬＥＤ７５ａ（図４参照）から照射された光を遮断し、それ以外の部分が光を透過できるようになっている。
【００２９】
本願特有の第２大入賞口装置１４は、可動役物１３よりも後側に配置されている。この第２大入賞口装置１４は、第２大入賞口１４ａと、第２大入賞口１４ａを開閉する開閉部材２２と、第２大入賞口１４ａに入賞した遊技球Ｐを検出する第２大入賞口ＳＷ１４ｃ（図１２参照）とを有する。第２大入賞口装置１４の詳細については後述する。
【００３０】
各普通入賞口１５には、入賞した遊技球Ｐを検出する普通入賞口ＳＷ１５ａ（図１２参照）が付設されている。センタ役物１６は、遊技盤４の盤面４ｂの中央部に略円形領域に配置され、盤面４ｂよりも前方へ張出すステージ１６ａを含むセンタ役物外周枠１６ｂを有する。センタ役物外周枠１６ｂの全体には、センタ役物１６の高級感や華やかさを高めるために、導電性を有する硬質金メッキ加工が施されている。
【００３１】
画像表示器１７は、液晶ディスプレイ（ＬＣＤ）からなり、センタ役物１６内に配置されている。この画像表示器１７には、第１又は第２始動入賞口１０ａ，１０ｂへの遊技球Ｐの入賞を契機に大当り抽選演出が表示され、その大当り抽選演出では、演出図柄（装飾図柄）を用いて図柄変動や大当り抽選の結果が表示され、また、大当り遊技中には大当り演出が表示される。
【００３２】
役物装置１８は、固定役物１８ａ、可動役物１８ｂ，１８ｃ、この可動役物１８ｂ，１８ｃを駆動する駆動手段１８ｄ（図１２参照）を有する。固定役物１８ａと可動役物１８ｂ，１８ｃは、有色の合成樹脂材料で形成され、センタ役物１６の上部から右部に亙って設けられた１つのキャラクタ（例えば、「キン肉マン」）を表す役物を構成している。
【００３３】
固定役物１８ａがキン肉マンの左上腕であり、可動役物１８ｂがキン肉マンの左下腕と左手に握った火玉であり、可動役物１８ｃがキン肉マンの顔である。固定役物１８ａと可動役物１８ｂ，１８ｃはセンタ役物外周枠１６ｂの上部と右部よりも内側に配置され、固定役物１８ａはセンタ役物外周枠１６ｂに固定され、可動役物１８ｂ，１８ｃは、図１に示す待機位置と左下方向へ揺動した揺動位置とに亙って揺動自在に基端部がセンタ役物外周枠１６ｂに取り付けられている。
【００３４】
遊技表示盤１９は、遊技領域４ａの下部右側に配置され、７セグメント表示器からなる第１，第２特別図柄表示器１９ａ，１９ｂ、○×で表示する普通図柄表示器１９ｃ、第１特別図柄保留ランプ１９ｄ、第２特別図柄保留ランプ１９ｅ、普通図柄保留ランプ１９ｆを備えている。
【００３５】
第１特別図柄表示器１９ａには、第１始動入賞口１０ａへの遊技球Ｐの入賞を契機に第１特別図柄が図柄変動後に表示され、第２特別図柄表示器１９ｂには、第２始動入賞口１０ｂへの遊技球Ｐの入賞を契機に第２特別図柄が図柄変動後に表示される。第１又は第２特別図柄表示器１９ａ，１９ｂに大当り図柄が表示された場合、大当り遊技状態が発生して、第１又は第２大入賞口装置１２，１４が作動し、通常は閉塞の大入賞口１２ａ，１４ａを開閉するように開閉部材１２ｂ，２２が複数ラウンドに亙って開閉動作する。
【００３６】
第１特別図柄保留ランプ１９ｄには、第１始動入賞口１０ａに入賞した遊技球Ｐの数であって第１特別図柄表示器１９ａでの図柄変動に未だ供していない第１保留数が４個まで表示される。第２特別図柄保留ランプ１９ｅには、第２始動入賞口１０ｂに入賞した遊技球Ｐの数であって第２特別図柄表示器１９ｂでの図柄変動に未だ供していない第２保留数が４個まで表示される。普通図柄保留ランプ１９ｆには、ゲート１１に入賞した遊技球Ｐの数であって普通図柄表示器１９ｃでの図柄変動に未だ供していない保留球が４個まで表示される。
【００３７】
発射ハンドル７を回動操作することで、ガイドレール２４間を上昇して遊技領域４ａの頂部に投入された遊技球Ｐは、複数の障害釘８や風車９に当たって方向を変えながら落下して、始動入賞口装置１０の第１，第２始動入賞口１０ａ，１０ｂ、第１又は第２大入賞口装置１２，１４の大入賞口１２ａ，１４ａ、複数の普通入賞口１５の何れかに入賞して遊技領域４ａ外へ排出されるか、最下端まで落下してアウト口２５から遊技領域４ａ外へ排出される。
【００３８】
次に、第２大入賞口装置１４について詳しく説明する。
図１〜図４に示すように、第２大入賞口装置１４は、センタ役物１６の左側上部に設けられ、第２大入賞口１４ａと、回動により第２大入賞口１４ａを開閉する開閉部材２２と、開閉部材２２を開閉駆動する開閉駆動機構（開閉駆動手段）６６と、可動役物１３を収容する役物ケース２６と、役物ケース２６の後側に配設された装飾板２７と、装飾板２７の後側に配設された支持体２８とを有する。
【００３９】
図２〜図４に示すように、役物ケース２６は透明な合成樹脂材料で一体成形されている。役物ケース２６は、円板部２９と、この円板部２９の外周部の外周壁３０ａと、外周壁３０ａの後端に連なる周壁部３０ｂと、通路部３３とを備えている。役物ケース２６の前端部には、円板部２９と外周壁３０ａとで、可動役物１３を回転自在に収容する収容凹部３１が形成されている。可動役物１３は、その前面が外周壁３０ａの前端と略同一面となるように収容凹部３１に収容されている。円板部２９の後面には、２つのＬＥＤ（発光手段）７５ａが実装されたランプ基板７５が設けられている。
【００４０】
図４、図６に示すように、円板部２９には、その中央部の円形穴２９ａと、円弧状の係合穴２９ｂと、矩形状の２つの係合穴２９ｃが形成されている。係合穴２９ｂは、円板部２９の後側に配設される後述の開閉部材２２の前側突出片３５を導入する為の穴である。係合穴２９ｃは、円板部２９の直ぐ後側に配設されたランプ基板７５に実装された２つのＬＥＤ７５ａを導入する為の穴である。係合穴２９ｃに導入された２つのＬＥＤ７５ａが可動役物１３の直ぐ後側に配設されるため、可動役物１３の後面へ向けてＬＥＤ７５ａの光を照射可能である。
【００４１】
役物ケース２６の裏面には、複数の突出片（図示略）が装飾板２７側へ突設され、それら突出片の後端部にはビス穴が形成されている。役物ケース２６を装飾板２７の前側に配置し、ビスを装飾板２７のビス穴に挿通させて複数の突出片のビス穴に螺合させることで、役物ケース２６が装飾板２７に固定される。
【００４２】
役物ケース２６の通路部３３は、外周壁３０ａと周壁部３０ｂに連なるように、右上部の約６０度の円弧領域に形成されている。役物ケース２６の頂部には、開閉部材２２を挿通させる切欠部３２が形成されている。周壁部３０ｂは、通路部３３及び切欠部３２以外の約２００度の円弧領域に対応するように形成されている。
【００４３】
図２〜図４、図７に示すように、開閉部材２２は、前記の切欠部３２と装飾板２７の前面とで形成される開口部３２ａ（図３参照）に上方に突出する状態、すなわち、可動役物１３の後側近傍位置に開閉部材２２の先端部分が可動役物１３の外周側へはみ出した状態に、役物ケース２６の内部に配設されている。開閉部材２２が開位置のとき開口部３２ａの一部が第２大入賞口１４ａとなる。開閉部材２２は、前後方向向きの軸回りに回動するように構成され、図２に示す閉位置と、図１４に示す開位置とに亙って回動可能である。
【００４４】
図２〜図４、図７に示すように、開閉部材２２は透明な合成樹脂材料で一体成形されている。開閉部材２２は、所定の前後幅を有する正面視にて翼形の翼形部２２Ａと、この翼形部２２Ａの左端下部に一体形成された枠状部２２Ｂとを有する。開閉部材２２の下端部にはそれを回動自在に枢支する為の枢支穴２２ａが形成されている。翼形部２２Ａは、軽量化して開閉動作の応答性を高めるため中空状に形成され、枠状部２２Ｂには開口穴２２ｂが形成されている。
【００４５】
翼形部２２Ａの上半部の前面には装飾性を高めるために硬質金メッキが施されている。開閉部材２２は、第２大入賞口１４ａを開放する開位置のときに遊技領域４ａの頂部から落下してきた遊技球Ｐを第２大入賞口１４ａに案内する案内部３４と、この案内部３４よりも前方へ突出した前側突出片３５と、案内部３４よりも後方へ突出した後側突出片３６と、開閉部材２２が閉位置のときに遊技球Ｐが転動する第１，第２転動部３７ａ，３７ｂを有する。
【００４６】
案内部３４は翼形部２２Ａの右側面に平坦面に形成されている。第１転動面３７ａは翼形部２２Ａの左側面の上半部に形成されている。第２転動面３７ｂは枠状部２２Ｂの上面に形成されている。第１，第２転動部３７ａ，３７ｂは上方へ突の湾曲面に且つほぼ等しい長さに形成され、第１転動部３７ａは第２転動部３７ｂよりも急傾斜である。
図３に示すように、第２転動部３７ｂの下端に連なる第３転動部３７ｃが周壁部３０ｂの一部に形成されている。第３転動部３７ｃの右端部には、遊技球Ｐの転動を円滑にする為の傾斜部Ｋが形成されている。
【００４７】
第３転動部３７ｃの左端に連なる第４転動部３７ｄは、装飾部材１６ｃにほぼ水平に形成されている。装飾部材１６ｃの全面には硬質金メッキが施されている。装飾部材１６ｃは、右端が周壁部３０ｂに固定されて左方へ水平に延びる水平部１６ｄと、この水平部１６ｄの左端から下方へ同程度の長さ延びる枠形成部１６ｅとを有する。枠形成部１６ｅはセンタ役物外周枠１６ｂの一部を構成している。第２，第３転動部３７ｂ，３７ｃと外周壁３０ａの一部と装飾板２７とで遊技球Ｐが転動可能な溝状に形成されている。
【００４８】
第１，第２，第３転動部３７ａ，３７ｂ，３７ｃから第４転動部３７ｄの方へ転動した遊技球Ｐは、第４転動部３７ｄの左端からゲート１１の方へ落下する。
上記のように、開閉部材２２を有効活用して遊技球Ｐが転動する第１，第２転動部３７ａ，３７ｂを形成するため、開閉部材２２の上面側のスペースを有効に活用できる上、転動部を形成する部材を節減することができる。
【００４９】
前側突出片３５は、翼形部２２Ａの左端下部の前端から前方に向けて所定幅だけ突設され、縦向きのほぼ円弧形に形成されている。後側突出片３６は、翼形部２２Ａの右端下部の後端から後方に向けて所定幅だけ突設され、縦向きに形成されている。
【００５０】
図４、図８に示すように、装飾板２７は、透明な合成樹脂成形体で構成され、前面は平滑面であるが、後面の全面には多数の細かなピラミッドカットからなる拡散レンズ３８ｄが形成されている。装飾板２７は、外周形状がジグザグの星形に形成された本体板部３８と、この本体板部３８の中央領域に一体形成され円板部３９とを有する。円板部３９は、本体板部３８よりも例えば５ｍｍ程度後方に後退して位置し、円板部３９の前面側には円形の凹部３９ａが形成されている。
【００５１】
円板部３９の中央部には円形穴２７ａが形成され、円板部３９の上部の外周寄りの位置には円弧状の係合穴２７ｂが形成されている。この係合穴２７ｂは、開閉部材２２の後側突出片３６を導入する為の穴である。
【００５２】
開閉部材２２の前側突出片３５が係合穴２９ｂに挿入され、後側突出片３６が係合穴２７ｂに挿入され、これら係合穴２９ｂ，２７ｂにより開閉部材２２の回動範囲が規制される。装飾板２７の円板部３９の上部の右端部分には、縦長楕円形の貫通穴２７ｃが形成されている。この貫通穴２７ｃは、役物ケース２６の通路部３３の後端と連通しており、通路部３３内に流入した遊技球Ｐを後方へ導出する為の穴である。
【００５３】
装飾板２７の円板部３９の前面の上部には、開閉部材２２の枢支穴２２ａを枢支する為の前後方向向きの軸部３８ｂが一体形成され、役物ケース２６の円板部２９の後面の上部には、開閉部材２２の枢支穴２２ａを枢支する為の前後方向向きの軸部（図示略）が軸部３８ｂと対向状に一体形成されている。開閉部材２２の枢支穴２２ａを前後１対の軸部で枢支することで、開閉部材２２が回動自在に枢支されている。
尚、円板部３９の前面の上部における、軸部３８ｂの左側近傍部位には、開閉部材２１が開位置側（反時計回り方向）に回動した際、所定角以上回動しないように開閉部材２２の回動を規制する規制部３８ｃが設けられている。
【００５４】
図８に示すように、本体板部３８の下部２／３の外縁部には、後方に所定長さ突出する外縁壁部３８ｅが連続的に形成されている。本体板部３８の裏面の外縁近傍部には、複数の突出部３８ｆが後方へ向けて突設され、それら突出部３８ｆにはビス穴が形成されている。
【００５５】
円板部３９の裏面には、係合穴２７ｂよりも下側において支軸部３９ａが後方へ向けて突設され、この支軸部３９ａに開閉駆動機構６６の捩じりバネ部材４０の捩じり部４０ａが外嵌される。支軸部３９ａの左側近傍部位には、捩じりバネ部材４０の一端を係止する為の係止片３９ｂが一体形成されている。円板部３９の裏面の外周縁近傍部には、複数の突出部３９ｃが後方へ向けて突設され、それらの突出部３９ｃにはビス穴が形成されている。
【００５６】
装飾板２７の複数の突出部３８ｆと複数の突出部３９ｃを支持体２８の前面に配置し、複数のビスを支持体２８のビス穴に挿通させて突出部３８ｆ，３９ｃのビス穴に螺合させることにより、装飾板２７が支持体２８に固定される。
【００５７】
図４に示すように、支持体２８は、前後方向に所定の厚さを有する略矩形板状の合成樹脂成形体である。支持体２８の中央部には矩形状の貫通穴２８ａが形成されている。前記の円板部２９の円形穴２９ａと、装飾板２７の円形穴２７ａと、貫通穴２８ａは同軸状に形成されている。支持体２８の右端部分には、装飾板２７の貫通穴２７ｃに対向して連通する連通穴２８ｂが形成されている。この連通穴２８ｂを通過した遊技球Ｐは、第２入賞口スイッチ１４ｃで検出後に、遊技盤４の裏側から外部へ排出される。
【００５８】
支持体２８の前面には、複数のＬＥＤ７４ａが実装されたランプ基板７４が設けられている。複数のＬＥＤ７４ａの光が装飾板２７へ向けて照射されると、装飾板２７に入射した光が拡散レンズ３８ｄで拡散され、拡散された光により装飾板２７の全面が均一に照明される。支持体２８は、その後側に配設されるギヤ収容ケース４２であって回転駆動機構２３のギヤ機構４１を収容するギヤ収容ケース４２に支持されている。
【００５９】
図４、図９に示すように、回転駆動機構２３と開閉駆動機構６６とは、共通の駆動モータ（アクチュエータ）４３で駆動され、この駆動モータ４３が、開閉部材２２の開閉動作に連動して可動役物１３が回転するように開閉駆動機構６６と回転駆動機構２３を連動させる。回転駆動機構２３は、駆動モータ４３と、回転軸２１と、駆動モータ４３の駆動力を回転軸２１に伝達するギヤ機構４１と、軸受部１３ａとを備えている。
【００６０】
開閉駆動機構６６は、駆動モータ４３と、回転軸２１と、ギヤ機構４１と、可動役物１３と、開閉部材２２を閉位置側へ回動付勢する捩じりバネ部材４０と、可動役物１３に装備されて開閉部材２２を開位置側へ回動させる押動機構４４と、前側突出片３５とを備えている。駆動モータ４３はギヤ収容ケース４２の後側に前後方向向きに水平に配設されている。尚、駆動モータ４３が連動手段に相当する。
【００６１】
ギヤ機構４１は、減速比の小さな減速ギヤ機構で、ギヤ収容ケース４２の内部に収容されている。ギヤ機構４１は、駆動モータ４３の出力軸４３ａに固定された駆動ギヤ４５と、駆動ギヤ４５に噛合した第１従動ギヤ４６と、第１従動ギヤ４６に噛合した第２従動ギヤ４７とを備えている。これらギヤ４５，４６，４７は合成樹脂製のものである。第１従動ギヤ４６を支持する回転軸４６ａの後端部は、駆動モータ４３のフランジを固定する固定部の下部の軸受部４３ｂに支持されている。第２従動ギヤ４７と一体の軸部４７ａが設けられ、この軸部４７ａの後端部がギヤ収容ケース４２に支持され、回転軸２１がカプラーを介して軸部４７ａに回転力を伝達可能に連結されている。
【００６２】
この回転軸２１は、貫通穴２８ａ、円形穴２７ａ，２９ａを挿通し、先端部が可動役物１３の裏面から後方に突出した軸受部１３ａに固定されている。この回転駆動機構２３により、可動役物１３が回転軸２１を中心に時計回り方向又は反時計回り方向に回転駆動される。
【００６３】
捩じりバネ部材４０の捩じり部４０ａは、円形部３９の裏面の支軸部３９ａに外嵌され、一端のレバー部４０ｂが係止片３９ｂに係止され、他端のレバー部４０ｃが装飾板２７の係合穴２７ｂから後方に突出した開閉部材２２の後側突出片３６に係止されている。この捩じりバネ部材４０により、開閉部材２２が閉位置へ弾性付勢されている。
【００６４】
図９に示すように、開閉部材２２を開位置へ回動させる押動機構４４は、可動役物１３の裏面に一体形成されて後方へ突出した短柱状の突起４８で構成されている。この突起４８は、可動役物１３が予め設定された正規の停止位置（これを原点位置とする）に停止しているときに、役物ケース２６の円板部２９の係合穴２９ｂから前方へ突出した前側突出片３５の前端部に右方から当接している。
【００６５】
次に、パチンコ遊技機１の制御系について説明する。
図１２に示すように、制御装置２０は、メイン制御装置５０とサブ制御装置５１とで構成されている。メイン制御装置５０は、遊技制御基板５２にＣＰＵとＲＯＭとＲＡＭを備えて構成され、遊技制御基板５２は盤用外部情報端子基板５３に接続されている。
【００６６】
サブ制御装置５１は、払出制御基板５４、演出制御基板５５、画像制御基板５６、ランプ制御基板５７を備え、この複数の制御基板５４〜５７は夫々ＣＰＵとＲＯＭとＲＡＭを備えて構成され、更に、演出制御基板５５は、ＲＴＣ（リアルタイムクロック）を備えて構成され、払出制御基板５４は枠用外部情報端子基板５８に接続されている。
【００６７】
遊技制御基板５２は、第１，第２始動口ＳＷ１０ｄ，１０ｅ、ゲートＳＷ１１ａ、第１，第２大入賞口ＳＷ１２ｃ，１４ｃ、普通入賞口ＳＷ１５ａからの検出信号と、払出制御基板５４からの制御情報を受けて、電チューソレノイド１０ｆ、第１大入賞口ソレノイド１２ｄ、駆動モータ４３、図柄表示器１９ａ〜１９ｃ、図柄保留ランプ１９ｄ〜１９ｆ、ＬＥＤ７４ａ，７５ａを制御し、払出制御基板５４と演出制御基板５５と盤用外部情報端子基板５８に制御情報（遊技情報）を出力する。尚、図１２においてＬＥＤ７４ａ，７５ａは夫々１つだけ記載されているが実際は夫々複数あるものとする。
【００６８】
払出制御基板５４は、遊技制御基板５２からの制御情報と、払出球検出ＳＷ５９、球有り検出ＳＷ５９、満タン検出ＳＷ６１からの検出信号を受けて、払出モータ６２を制御し、入賞口１０ａ，１０ｂ，１２ａ，１４ａ，１５への遊技球Ｐの入賞１個について、入賞口１０ａ，１０ｂ，１２ａ，１４ａ，１５毎に設定された数の入賞球を貯留皿６に払出し、遊技制御基板５２と枠用外部情報端子基板５３に制御情報（払出情報）を出力する。
【００６９】
演出制御基板５５は、遊技制御基板５２からの制御情報と、貯留皿６に設けられた演出ボタン５からの操作信号を受けて、画像制御基板５６に制御情報を出力し、更に、画像制御基板５６からの制御情報を受けて、ランプ制御基板５７に制御情報を出力する。画像制御基板５６は、演出制御基板５５からの制御情報を受けて、画像表示器１７とスピーカ６３とを制御し、演出制御基板５５に制御情報を出力する。ランプ制御基板５７は、演出制御基板５５からの制御情報を受けて、主に画像制御基板５６による制御に同期させて、枠ランプ６４と盤ランプ６５と役物装置１６の駆動手段１８ｄとを制御する。
【００７０】
次に、開閉部材２２の開閉動作に伴って可動役物１３の前面に表示される開閉部材２２の残部の表示について説明する。
図１３、図１４に示すように、大当り遊技状態の場合に開閉部材２２が開閉動作するモードのとき、遊技制御基板５２からの制御情報を受けて、２つのＬＥＤ７５ａを発光させる。ＬＥＤ７５ａの光が可動役物１３の後面へ向けて照射されると、可動役物１３においてマスキング部材６７が形成された部分は光が遮断され、マスキング部材６７が形成された部分以外を光が透過する。
【００７１】
そのため、可動役物１３の前面に、開閉部材１２の先端部分に連続するように開閉部材２２の残部が影絵的に表示される。開閉部材２２が開閉動作するモードが終了すると、２つのＬＥＤ７５ａを消灯させることで可動役物１３の前面に表示されていた開閉部材２２の残部の表示が消える。尚、開閉部材２２が開動作を行うときのみ２つのＬＥＤ７５ａを発光させてもよいし、それ以外のときにも所定条件成立時に２つのＬＥＤ７５ａを発光させてもよい。
【００７２】
次に、以上説明したパチンコ遊技機１の作用、効果について説明する。
図２に示すように、可動役物１３が正規の停止位置に停止している場合、図１０に示すように、開閉部材２２は、捩じりバネ部材４０により閉位置（正面視にて時計回り方向）へ付勢され、図９に示すように押動機構４４の突起４８が開閉部材２２の前側突出片３５に当接している。可動役物１３を介して遊技演出を行う場合、駆動モータ４３が駆動され、可動役物１３が停止位置から時計回り方向に回転する場合、可動役物１３は、停止位置から突起４８が開閉部材２２の前側突出片３５に干渉しない範囲で所定角度（約３５０度）回転する。その後、駆動モータ４３を逆転駆動して、可動役物１３を反時計回り方向に回転して停止位置に復帰させる。
【００７３】
一方、可動役物１３を停止位置から正面視にて反時計回りに回転する場合、図１１に示すように、押動機構４４の突起４８が開閉部材２２の前側突出片３５を開位置側へ押動し、捩じりバネ部材４０を捩じり弾性変形させて、開閉部材２２を開位置へ回動させ、第２大入賞口１４ａを開放する。開閉部材２２は、前側突出片３５が係合穴２９ｂの左端面に当接し、後側突出片３６が係合穴２７ｂの左端面に当接するまで開動作する。このとき、開閉部材２２は規制部３８ｃに当接して回転規制される。開閉部材２２が開位置のとき、開閉部材２２の案内部３４の水平に対する傾斜角は例えば１０〜２０度である。
【００７４】
図１３、図１４に示すように、大当り遊技状態の場合に開閉部材２２が開閉動作するモードのとき、２つのＬＥＤ７５ａが発光する。ＬＥＤ７５ａの光が可動役物１３の後面へ向けて照射されると、可動役物１３の前面に開閉部材１２の先端部分に連続するように開閉部材２２の残部が影絵的に表示される。
【００７５】
開閉部材２２の開位置の状態から、可動役物１３が正面視にて時計回り方向に回転すると、捩じり部材４０の弾性復元力により、開閉部材２２が閉位置へ復帰し、第２大入賞口１４ａが閉塞される。開閉部材２２は、前側突出片３５が係合穴２９ｂの右端面に当接し、後側突出片３６が係合穴２７ｂの右端面に当接するまで閉動作する。開閉部材２２が開閉動作するモードが終了すると、２つのＬＥＤ７５ａが消灯し、可動役物１３の前面に表示されていた開閉部材２２の残部の表示が消える。
【００７６】
このように、可動役物機構６８を設け、第２大入賞口装置１４は、開閉部材２２の開閉動作に連動して可動役物１３が回転するように連動させるので、遊技者は遊技中に可動役物１３の回転動作を視認することで、開閉部材２２の開閉動作を容易に視認することができるうえ、第２大入賞口装置１４へ遊技球Ｐが入るように遊技球Ｐを発射させることもできる。
【００７７】
可動役物１３は透光性部材で構成されると共に、可動役物１３よりも後側にＬＥＤ７５ａを設け、残部表示用マスキング部材６７を可動役物１３に形成したので、開閉部材２２が開閉動作するとき、ＬＥＤ７５ａから可動役物１３の後面に照射された光により可動役物１３の前面に開閉部材２２の先端部分に連続するように開閉部材２２の残部を影絵的に表示させることで、遊技中に開閉部材２２の開閉動作を容易に視認することができる。それ故、開閉部材２２が開動作した場合、遊技球Ｐが第２入賞口１４ａに入って入賞するのではないかという遊技者の期待感を高めることができる。
【００７８】
また、開閉部材２２の残部を影絵的に表示することで開閉部材２２全体を大きく見せることができるので、前記遊技者の期待感を格段に高めることができる。マスキング部材６７は、可動役物１３の後面のうち開閉部材２２の残部に対応する部分を光学的にマスクする塗膜又は被膜で構成されたので、簡単な構成でもって開閉部材２２の開閉動作を容易に視認することができる。可動役物１３と開閉部材２２とは共通のアクチュエータで駆動されるので、アクチュエータの数を削減して製作コストの低減を図ることができる。
【実施例２】
【００７９】
次に、本発明の実施例２について、図１５、図１６に基づいて説明する。但し、前記実施例と同一の構成には同一の符号を付し、異なる構成についてのみ説明する。
図１５に示すように、可動役物１３の後面のうち、開閉部材２２の残部以外の部分に残部表示用マスキング部材６７が形成されている。
【００８０】
図１６に示すように、ＬＥＤ７５ａから可動役物１３の後面に光が照射されると、可動役物１３においてマスキング部材６７が形成された部分は光が遮断され、マスキング部材６７が形成された部分以外を光が透過する。そのため、可動役物１３の前面に、開閉部材２２の先端部分に連続するように開閉部材２２の残部が影絵的に表示される。これにより実施例１の場合と同様の効果が得られる。
【実施例３】
【００８１】
次に、本発明の実施例３について、図１７、図１８に基づいて説明する。但し、前記実施例と同一の構成には同一の符号を付し、異なる構成についてのみ説明する。
図１７に示すように、可動役物１３の後面のうち、開閉部材２２の残部に対応する部分に多数の微細な凸部６９が形成されている。ＬＥＤ７５ａは可動役物１３の直ぐ後側に配設されているため、ＬＥＤ７５ａから多数の凸部６９に対して側方から光が照射される。図１８に示すように、ＬＥＤ７５ａから多数の凸部６９に側方から光が照射されると、可動役物１３の前面に、開閉部材２２の先端部分に連続するように開閉部材２２の残部が影絵的に表示される。これにより、実施例１，２の場合と同様の効果が得られる。
【００８２】
次に、前記実施例を部分的に変更した変更例について説明する。
１］前記実施例１〜３において、２つの駆動モータを設けて、可動役物１３と開閉部材２２とを夫々の駆動モータで駆動することも可能である。この場合、開閉部材２２については駆動モータの代わりにソレノイドアクチュエータで駆動してもよい。
【００８３】
２］実施例３において、可動役物１３の後面に多数の微細な凸部６９を形成する代わりに多数の微細な凹部を形成することも可能である。この場合、多数の凹部に対して側方から光を照射できる位置にＬＥＤ７５ａを配設する。
【符号の説明】
【００８４】
１        パチンコ遊技機
４        遊技盤
４ｂ      盤面
１３      可動役物
１４      第２入賞口装置
１４ａ    第２入賞口
２２      開閉部材
２３      回転駆動機構
４３      駆動モータ
６６      開閉駆動機構
６７      残部表示用マスキング部材
６８      可動役物機構
７５ａ    ＬＥＤ
【図１】
2011000307.tif 000003
【図２】
2011000307.tif 000004
【図３】
2011000307.tif 000005
【図４】
2011000307.tif 000006
【図５】
2011000307.tif 000007
【図６】
2011000307.tif 000008
【図７】
2011000307.tif 000009
【図８】
2011000307.tif 000010
【図９】
2011000307.tif 000011
【図１０】
2011000307.tif 000012
【図１１】
2011000307.tif 000013
【図１２】
2011000307.tif 000014
【図１３】
2011000307.tif 000015
【図１４】
2011000307.tif 000016
【図１５】
2011000307.tif 000017
【図１６】
2011000307.tif 000018
【図１７】
2011000307.tif 000019
【図１８】
2011000307.tif 000020